(57)【特許請求の範囲】
【請求項１】
記録ヘッドを用い、少なくとも２つの解像度で記録媒体に記録を行う記録装置であって、
異なるタイミングで記録される画像相互の位置関係を検査するためのチェックパターンを、前記記録ヘッドを用いて記録媒体に記録するパターン記録手段と、
前記画像相互の位置関係に関する設定情報の入力に基づいて前記記録ヘッドの記録タイミングを設定する設定手段と、
前記パターン記録手段により所定の解像度の第１チェックパターンを記録させ、前記設定手段に、該第１チェックパターンに基づいて入力される設定情報に基づいて前記記録ヘッドの記録タイミングを設定させ、該記録タイミングが設定された条件で前記パターン記録手段に前記所定の解像度より高い解像度の第２チェックパターンを記録させる制御手段と、
を具えたことを特徴とする記録装置。
【請求項２】
前記記録装置は、複数の記録ヘッドを有し、
前記パターン記録手段が記録するチェックパターンは、該複数の記録ヘッドによりそれぞれ異なるタイミングで記録することを特徴とする請求項１に記載の記録装置。
【請求項３】
前記記録ヘッドに対して前記記録媒体を相対的に搬送する搬送手段をさらに有し、
前記制御手段は、前記搬送手段を制御することにより、前記パターン記録手段が、前記第１チェックパターンが記録された記録媒体に前記第２チェックパターンを記録するとき、当該第１チェックパターンと干渉しない位置に記録することを特徴とする請求項１または２に記載の記録装置。
【請求項４】
前記制御手段は、前記搬送手段を制御することにより、前記パターン記録手段が前記第１チェックパターンを記録するとき、当該第１チェックパターンを前記記録媒体の中央部に記録することを特徴とする請求項３に記載の記録装置。
【請求項５】
前記記録ヘッドは記録媒体にインクを吐出して記録を行うことを特徴とする請求項１ないし４のいずれかに記載の記録装置。
【請求項６】
前記記録ヘッドは、インクを吐出するために利用される熱エネルギーを発生する熱エネルギー発生体を有することを特徴とする請求項５に記載の記録装置。
【請求項７】
記録ヘッドを用い、少なくとも２つの解像度で記録媒体に記録を行う記録装置のチェックパターン記録方法であって、
異なるタイミングで記録される画像相互の位置関係を検査するための第１のチェックパターンを、前記記録ヘッドを用いて所定の解像度で記録し、
該第１チェックパターンに基づき前記記録ヘッドの記録タイミングを設定し、
該記録タイミングが設定された条件で、前記画像相互の位置関係を検査するための第２のチェックパターンを前記所定の解像度より高い解像度で記録する、
各ステップを有することを特徴とするチェックパターン記録方法。
【発明の詳細な説明】
【０００１】
【発明の属する技術分野】
本発明は記録装置およびチェックパターン記録方法に関し、詳しくは複数の記録ヘッド間のレジストレーション調整や正常記録の検査を行うためのチェックパターンを記録する記録装置およびその記録方法に関するものである。
【０００２】
【従来の技術】
この種の記録装置として代表的なインクジェット記録装置、とりわけバブルジェット方式の記録装置は、記録ヘッドのインク吐出口を高密度に配することができ、これにより高精細記録が可能となるという利点を有している。一方、最近の記録装置では高精細で高画質の画像を記録するということも一つの傾向である。
【０００３】
ところで、例えばフルカラー記録を行う装置のように複数の記録ヘッドを用いる装置では、これら記録ヘッドから吐出されるインクにより形成されるそれぞれのドットが、所定の位置関係、例えば記録媒体上の実質的同一個所に形成されて相互に重なる位置関係を維持できるよう、レジストレーションの調整（以下、単に「レジ調整」ともいう）を行うことが知られている。このレジ調整の一従来例は、記録媒体上にそれぞれのヘッドにより所定のチェックパターンを記録し、それぞれのパターン相互のずれに基づいて各ヘッドの吐出タイミングを調整するものである。
【０００４】
また、インク吐出が正常になされているかについて各吐出口毎に検査する場合にも、同様に被記録媒体上に実際にインク吐出を行い、これを目視によりチェックすることが行われている。
【０００５】
【発明が解決しようとする課題】
しかしながら、高精細記録を行う装置において、上述した従来のレジ調整や正常記録のチェックを行う場合にはその調整やチェックが不十分となる場合があった。
【０００６】
すなわち、高精細記録を行うことから、レジ調整自体も高精細に行わなければならない。例えば、記録ヘッドの走査方向において通常の４００ｄｐｉの記録に対し１２００ｄｐｉの高精細記録を行う場合には、通常のレジ調整に対して３倍の精度のレジ調整が必要となり、それに応じてレジ調整に時間を要するという問題がある。
【０００７】
また、レジ調整や正常吐出のチェックのために記録媒体に記録されるチェックパターンもより高精細なチェックを行うため形成されるパターンににじみ等を生じないことが望ましい。このため、チェックパターン記録に用いる記録媒体についてにじみが生じ難い比較的高価なものを用いる必要がある。この場合に、例えば１枚の記録媒体に単一のチェックパターンのみが記録されるときには記録媒体がそれだけ無駄になり相対的にランニングコストの上昇を招くといった問題がある。
【０００８】
本発明は上記問題点を解消するためになされたものであり、その目的とするところは、高精細記録を行う場合にもレジ調整にそれ程時間を費やすことがなく、また、レジ調整によってランニングコストの上昇を招くことのない記録装置およびチェックパターン記録方法を提供することにある。
【０００９】
【課題を解決するための手段】
そのために本発明では、記録ヘッドを用い、少なくとも２つの解像度で記録媒体に記録を行う記録装置であって、異なるタイミングで記録される画像相互の位置関係を検査するためのチェックパターンを、前記記録ヘッドを用いて記録媒体に記録するパターン記録手段と、前記画像相互の位置関係に関する設定情報の入力に基づいて前記記録ヘッドの記録タイミングを設定する設定手段と、前記パターン記録手段により所定の解像度の第１チェックパターンを記録させ、前記設定手段に、該第１チェックパターンに基づいて入力される設定情報に基づいて前記記録ヘッドの記録タイミングを設定させ、該記録タイミングが設定された条件で前記パターン記録手段に前記所定の解像度より高い解像度の第２チェックパターンを記録させる制御手段と、を具えたことを特徴とする。
【００１０】
好ましくは、前記記録装置は、複数の記録ヘッドを有し、前記パターン記録手段が記録するチェックパターンは、該複数の記録ヘッドによりそれぞれ異なるタイミングで記録することを特徴とする。
【００１１】
さらに好ましくは、前記記録ヘッドに対して前記記録媒体を相対的に搬送する搬送手段をさらに有し、前記制御手段は、前記搬送手段を制御することにより、前記パターン記録手段が、前記第１チェックパターンが記録された記録媒体に前記第２チェックパターンを記録するとき、当該第１チェックパターンと干渉しない位置に記録することを特徴とする。
【００１３】
また、記録ヘッドを用い、少なくとも２つの解像度で記録媒体に記録を行う記録装置のチェックパターン記録方法であって、異なるタイミングで記録される画像相互の位置関係を検査するための第１のチェックパターンを、前記記録ヘッドを用いて所定の解像度で記録し、該第１チェックパターンに基づき前記記録ヘッドの記録タイミングを設定し、該記録タイミングが設定された条件で、前記画像相互の位置関係を検査するための第２のチェックパターンを前記所定の解像度より高い解像度で記録する、各ステップを有することを特徴とする。
【００１５】
以上の構成によれば、まず第１チェックパターンを所定の解像度で記録し、このパターンに基づいて記録ヘッドの記録タイミングを設定し、該記録タイミングが設定された条件で、第２チェックパターンを前記所定の解像度より高い解像度で記録するので、第２チェックパターンを、記録ヘッドの記録タイミング設定がなされた状態、すなわち、レジ調整にかかる記録タイミングの調整がなされた状態で記録することができ、第２チェックパターンに基づく、その後のより高解像度のレジ調整が容易となる。
【００１６】
また、同一の記録媒体に複数のチェックパターンを記録できるので、チェックパターン記録用の記録媒体を節約することができる。
【００１７】
【発明の実施の形態】
以下、図面を参照して本発明の実施形態を詳細に説明する。
【００１８】
図１は、本発明のインクジェット記録装置の一実施形態におけるプリント部の構成を模式的に示す斜視図である。
【００１９】
図１において、１１ａ，１１ｂはそれぞれ記録ヘッド部１９ａ，１９ｂを有し、これらヘッド部に対応したインクタンク１２ａ，１２ｂを着脱自在に搭載できるヘッドカートリッジであり、１３はこれらを着脱自在に搭載してガイド軸１５ｘおよび１５ｙに沿って図中ヘッド走査方向（主走査方向）に走査するためのキャリッジである。それぞれのインクタンク１２ａ，１２ｂには、インクおよびこれを不溶化する処理液がそれぞれ別個の室に収納されている。
【００２０】
各記録ヘッド部１９ａ，１９ｂを吐出口面側からみた模式図を図２に示す。この図において、符号１９０〜１９４で示す線は、処理液またはインクを吐出する吐出口列を表わしている。
【００２１】
本実施形態の装置は、図２（ａ），（ｂ）に示すように２つの記録ヘッド部（ヘッドカートリッジ）を用いるものであり、同図（ａ）および（ｂ）に示す記録ヘッド部は、吐出口列１９０の各吐出口からインクと反応してインク中の染料を不溶化または凝集させる処理液（Ｓ）を吐出する。また、同図（ａ）に示す吐出口列１９１の各吐出口からはブラック（Ｂｋ）のインクを、一方、同図（ｂ）に示す記録ヘッドの吐出口列１９２，１９３，１９４からはそれぞれイエロー（Ｙ），マゼンタ（Ｍ），シアン（Ｃ）の色のインクをそれぞれ吐出することができる。なお、処理液およびブラックの吐出口列は３０４個の吐出口を６００ｄｐｉで配列し、イエロー，マゼンタ，シアンの吐出口列はそれぞれ８０個の吐出口を同様に６００ｄｐｉで配列したものである。これら２つの記録ヘッド部１９ａおよび１９ｂを使い分けることにより、文書およびカラーグラフィックの双方に適切に対応してこれらの画像を記録することができる。
【００２２】
なお、本実施形態では、以上のようなヘッド等の構成としたが、本発明の適用は、このようなキャリッジやヘッド等の構成に限られるものでなく、例えば２つ以上のヘッドカートリッジを搭載できるキャリッジでも良いし、インク１色につき１列の吐出口列を持ったヘッドカートリッジでも良い。また、複数の吐出口列を持ったヘッドカートリッジであっても良い。
【００２３】
再び図１を参照すると、１６は記録媒体、１４は記録媒体を図中記録紙搬送方向（副走査方向）に搬送するための搬送ローラである。
【００２４】
以上の構成において、記録ヘッド部をヘッド走査方向に移動させながら、吐出口列の各吐出口から処理液あるいはインクを吐出して記録を行うヘッド走査と、記録媒体の搬送とを交互に行うことにより、記録媒体全体への記録を行うことができる。
【００２５】
１８はホームポジションにおいて記録ヘッドの吐出口面と対向するゴム等の弾性材料で形成したキャップであり、記録ヘッドに対し当接／離脱が可能なように支持されている。キャップ１８は、非記録時の記録ヘッド部の保護や、固着した処理液あるいはインクを除去したり、吐出口やこれに連通して設けられる液路に存在する気泡を除去するため、吸引ポンプ（図示しない）による強制的なインクの吸引排出処理に用いられる。本実施形態においては、処理液とインクを吐出するヘッド部を用いるため、キャップ１８は処理液およびインクのそれぞれ吸引回復等のためのキャップ部１８ａおよび１８ｂを有している。これは、処理液とインクは混合されると直ちに固着して除去が困難となるためである。
【００２６】
１７はインクの予備吐出処理による吐出回復動作のためのインク受けである。ここで予備吐出処理とは、インク受け１７に対して、各記録ヘッド部１９ａおよび１９ｂの各吐出口からインクを吐出させることによって気泡や塵埃、増粘して記録に適さなくなったインク等を強制的に排出させる処理である。
【００２７】
本実施形態において使用するインクは、アニオン性基を含有する水溶性染料と水、水溶性有機溶剤およびその他の成分、例えば粘度調整剤、ｐＨ調整剤、防腐剤、界面活性剤、酸化防止剤を必要に応じて含むものである。
【００２８】
また、処理液はカチオン性基を有する水溶性ポリマーと水、水溶性有機溶剤およびその他の成分、例えば粘度調整剤、ｐＨ調整剤、防腐剤、界面活性剤、酸化防止剤を必要に応じて含むものである。
【００２９】
なお、本実施形態においては、インクにアニオン性物質、処理液にカチオン性物質を含んでいるがインクと処理液のイオン性については特に限定する必要はない。
【００３０】
本実施形態で使用可能なインクおよび処理液の一例は以下の組成である。
【００３１】
インク
ＢＫ：
Ｃ．Ｉ．フードブラック−２；        ３部
グリセリン                ；      １５部
水                        ；      ８２部
処理液
ポリアリルアミン                    ４部
グリセリン                        １５部
水                                ８１部
以上の構成を有する本実施形態のインクジェット記録装置は２種類のモードで記録が可能なものである。すなわち、主走査方向および副走査方向について６００ｄｐｉ×６００ｄｐｉの比較的低い解像度で記録を行う低解像度記録モードと、１２００ｄｐｉ×６００ｄｐｉの比較的高い解像度で記録を行う高解像度記録モードの２種類のモードを有し、低解像度モードの方がキャリッジ速度を速くする記録を行う。
【００３２】
（実施形態１）
次に、上述した装置構成に基づく、レジ調整のためのチェックパターン記録の第１の実施形態について説明する。
【００３３】
記録ヘッド部１９ａおよび１９ｂによる主走査方向のドット形成位置相互のレジ調整は各ヘッド部の吐出タイミングの調整を行うことによって実施されるが、本実施形態では、記録ヘッド部１９ａのＢｋインクに係る吐出口列１９１および記録ヘッド部１９６ｂのＭインクの吐出口列１９３からインク吐出を行ってチェックパターンを形成する。
【００３４】
まず、第１のチェックパターンとして、図３に示すように低解像度記録モードでチェックパターンを記録する。このパターンは記録媒体上その搬送方向に関して略中央部に記録する。
【００３５】
すなわち、この記録媒体の中央部に対して記録ヘッド部１９ａおよび１９ｂを走査させ、この間にＢｋインクについては等時間間隔で吐出口列１９１の全ての吐出口から吐出を行い、一方Ｍインクについては、その時点で設定されている「０」位置のタイミング、すなわちＢｋインクの吐出位置に対してＭインクが重なるとされているタイミングおよびＢｋインクの吐出位置に対してそれぞれ２ドット分および１ドット分それぞれ左右にずれる位置である「−２」，「−１」，「＋１」，「＋２」の一のタイミングで、吐出口１９３の全ての吐出口から吐出を行う。なお、上記１ドット分は６００ｄｐｉの場合、約４０μｍの間隔に相当する。
【００３６】
図３に示す例では、位置「０」のタイミングにおいてＢｋインクとＭインクが重なっていることが観察できるため、この位置のタイミングを、例えばホスト装置あるいは装置に設けられた操作キーを介して入力して設定する。
【００３７】
次に、第２のチェックパターンとして、図４に示すように、上記第１のチェックパターンを記録した記録媒体に対し、高解像度モードでチェックパターンを記録する。この際、第１チェックパターンとの干渉を避けるため、記録媒体の搬送方向に関して第１チェックパターンの上方に第２チェックパターンの記録を行う。
【００３８】
この場合、チェックパターンは、上記第１チェックパターンと同様に記録するが、位置「０」に対応するタイミングは、上述の第１チェックパターンの観察結果に基づいて設定したタイミング、図３に示す例では同図の位置「０」に対応するタイミングとする。そして、さらにそれぞれ１ドット分（２０μｍに相当）づつ左右側にずれた位置「−１」，「＋１」のタイミングで記録を行う。
【００３９】
これら第１および第２のチェックパターンを記録した結果を図５に示す。第２チェックパターンを記録した結果、例えば図４（図５）に示す例では、位置「−１」のタイミングでＢｋインクとＭインクの吐出位置が合致するので、この位置に対応するタイミングを新たなタイミングとして設定する。
【００４０】
なお、以上説明したチェックパターン記録の制御およびそのチェックパターンに基づくタイミングデータの設定は、図１に示した装置におけるＣＰＵおよびＲＡＭ、ＲＯＭ等のメモリからなる制御構成によって実行することができる。
【００４１】
図７は上述した第１チェックパターンおよび第２チェックパターンの記録に関する処理手順を示すフローチャートである。
【００４２】
記録媒体が給紙位置にセットされて所定のチェックパターン記録指示入力があると本処理が起動され、ステップＳ７０１で紙送り量ＬＦ１の給紙動作が行われ、これにより、記録ヘッドの走査領域が記録媒体の略中央部に対応することができる。次に、ステップＳ７０２で、記録媒体の略中央部において所定量の紙送りを行ないながら低解像度記録モードでのチェックパターンである低解像度レジ調整パターン（第１チェックパターン）を記録する。その後、ステップＳ７０３の排紙動作で記録媒体を排出する。
【００４３】
ここで、ユーザーは、上述したように記録媒体上のチェックパターンを観察して、低解像度記録モードでのタイミング設定値を入力するが、ステップＳ７０４では、この設定入力を待機する。この設定入力があると、ステップＳ７０５で、その入力に基づき低解像度設定パラメータＰ１をＲＡＭに記憶する。この記憶されたパラメータＰ１は、以下に示すステップＳ７０７での記録も含めＢＫ記録ヘッド部１９ａおよびカラー記録ヘッド部１９ｂの低解像度記録において用いられる。
【００４４】
パラメータＰ１の入力を終了すると、ステップＳ７０６において、ユーザーが記録媒体をその給紙位置にセットするのを待機し、セットされたことを検知すると送り量ＬＦ２の紙送りを行う。これにより、上述したように、記録媒体において高解像度用の第２チェックパターンを記録すべき位置を、その中央部から離れた上部の位置とすることができる。そして、ステップＳ７０７では、記録媒体の上部の位置で所定量の紙送りを行ないながら高解像度記録モードでのチェックパターンである高解像度レジ調整パターン（第２チェックパターン）を記録し、ステップＳ７０８で記録媒体の排紙を行う。
【００４５】
次のステップＳ７０９では、ステップＳ７０４と同様ユーザーによる高解像度設定パラメータＰ２の入力を待機し、この入力があるとステップＳ７１０でその値をＲＡＭに記憶する。そして、この値は、ＢＫ記録ヘッド部１９ａおよびカラー記録ヘッド部１９ｂの高解像度記録において用いられる。
【００４６】
以上のように、一連の処理によって、各解像度でのレジ調整用パラメータが設定されるとともに、例えば高解像度のレジ調整に関する処理の前には必ず低解像度レジ調整に関する処理が実行されることになる。
【００４７】
上述した本実施形態のチェックパターン記録によれば、低解像度下での第１チェックパターンの記録を行い、その結果に基づいてレジ調整が行われ、その後に高解像度条件での第２チェックパターンを記録するので、このパターンの記録におけるずれをほぼ１２００ｄｐｉで１ドット分程度以下に抑えることができ、高解像度条件でのレジ調整を容易かつ短時間に行うことができる。また、ずれが１ドット分以下であることから第２チェックパターンについてはそれぞれ位置「−１」，「０」，「＋１」の３つのパターンを記録すれば足り、チェックパターン自体の記録も短時間に行うことができる。
【００４８】
また、チェックパターンを記録するのに比較的高価な記録媒体を用いた場合でも、２つのチェックパターンを１枚の記録媒体に記録するのでレジ調整に関するコスト上昇を抑え、結果としてランニングコストを低減することが可能となる。
【００４９】
さらに、第１チェックパターンを記録した記録媒体に第２チェックパターンを記録するためユーザーが誤って記録媒体を逆方向に挿入した場合でも第１チェックパターンは略中央部に記録されているので、これに第２チェックパターンの記録が干渉することを防止できる。
【００５０】
なお、上述の図７の処理において、低解像記録モードでのチェックパターンを記録するための送り量であるラインフイード量ＬＦ１の詳細は、記録媒体が給紙位置から送られ記録ヘッドが記録ヘッドの端部に対抗するまでの送り量と、その端部位置から想定しているＡ４サイズの記録媒体を約１／３送る量とする。ここでは６００ｄｐｉを送りの単位として２２００単位とした。また、高解像記録モードでのチェックパターンを記録するための送り量であるＬＦ２は上記ＬＦ１の場合と同様にして想定しているＡ４サイズの記録媒体の端部位置付近から１００単位とした。
【００５１】
さらに、中央部において所定量の紙送りをしながら低解像記録モードでのチェックパターンの記録を行うための記録領域は、送り方向において、Ａ４サイズの記録媒体をさらに約１／３送る量である２０００以内とした。また、高解像記録モードでのチェックパターンをすでに記録された低解像度でのチェックパターンと干渉することなく（この例では重なることなく）記録するために、高解像記録モードでのチェックパターンの記録領域は、送り方向において、Ａ４サイズの記録媒体を約１／３送る量である２０００以内とした。
【００５２】
（実施形態２）
本実施形態は、レジ調整用のチェックパターンと正常吐出が行われているか否化チェックするためのチェックパターンを１枚の記録媒体に記録するものであり、これにより上記実施形態と同様ランニングコストの低減を図ることができる。
【００５３】
図６はこれらのチェックパターン記録例を示す模式図である。同図に示すように記録媒体の略中央部にレジ調整用のチェックパターンが記録され、その下方に各色インクについて吐出口ごとにその記録位置をずらした正常吐出チェック用のパターンが記録される。
【００５４】
なお、本発明の実施形態に係るインクジェット記録装置では、インクを不溶化する処理液を用いているので、上記チェックパターン記録の際に処理の吐出を併せて行えばチェックパターンのインクにじみをさらに抑えることができ、精度の高いレジ調整等を行うことが可能となる。
【００５５】
（その他）
なお、本発明は、特にインクジェット記録方式の中でも、インク吐出を行わせるために利用されるエネルギとして熱エネルギを発生する手段（例えば電気熱変換体やレーザ光等）を備え、前記熱エネルギによりインクの状態変化を生起させる方式の記録ヘッド、記録装置において優れた効果をもたらすものである。かかる方式によれば記録の高密度化，高精細化が達成できるからである。
【００５６】
その代表的な構成や原理については、例えば、米国特許第４７２３１２９号明細書，同第４７４０７９６号明細書に開示されている基本的な原理を用いて行うものが好ましい。この方式は所謂オンデマンド型，コンティニュアス型のいずれにも適用可能であるが、特に、オンデマンド型の場合には、液体（インク）が保持されているシートや液路に対応して配置されている電気熱変換体に、記録情報に対応していて核沸騰を越える急速な温度上昇を与える少なくとも１つの駆動信号を印加することによって、電気熱変換体に熱エネルギを発生せしめ、記録ヘッドの熱作用面に膜沸騰を生じさせて、結果的にこの駆動信号に一対一で対応した液体（インク）内の気泡を形成できるので有効である。この気泡の成長，収縮により吐出用開口を介して液体（インク）を吐出させて、少なくとも１つの滴を形成する。この駆動信号をパルス形状とすると、即時適切に気泡の成長収縮が行われるので、特に応答性に優れた液体（インク）の吐出が達成でき、より好ましい。このパルス形状の駆動信号としては、米国特許第４４６３３５９号明細書，同第４３４５２６２号明細書に記載されているようなものが適している。なお、上記熱作用面の温度上昇率に関する発明の米国特許第４３１３１２４号明細書に記載されている条件を採用すると、さらに優れた記録を行うことができる。
【００５７】
記録ヘッドの構成としては、上述の各明細書に開示されているような吐出口，液路，電気熱変換体の組合せ構成（直線状液流路または直角液流路）の他に熱作用部が屈曲する領域に配置されている構成を開示する米国特許第４５５８３３３号明細書，米国特許第４４５９６００号明細書を用いた構成も本発明に含まれるものである。加えて、複数の電気熱変換体に対して、共通するスリットを電気熱変換体の吐出部とする構成を開示する特開昭５９−１２３６７０号公報や熱エネルギの圧力波を吸収する開孔を吐出部に対応させる構成を開示する特開昭５９−１３８４６１号公報に基いた構成としても本発明の効果は有効である。すなわち、記録ヘッドの形態がどのようなものであっても、本発明によれば記録を確実に効率よく行うことができるようになるからである。
【００５８】
さらに、記録装置が記録できる記録媒体の最大幅に対応した長さを有するフルラインタイプの記録ヘッドに対しても本発明は有効に適用できる。そのような記録ヘッドとしては、複数記録ヘッドの組合せによってその長さを満たす構成や、一体的に形成された１個の記録ヘッドとしての構成のいずれでもよい。
【００５９】
加えて、上例のようなシリアルタイプのものでも、装置本体に固定された記録ヘッド、あるいは装置本体に装着されることで装置本体との電気的な接続や装置本体からのインクの供給が可能になる交換自在のチップタイプの記録ヘッド、あるいは記録ヘッド自体に一体的にインクタンクが設けられたカートリッジタイプの記録ヘッドを用いた場合にも本発明は有効である。
【００６０】
また、本発明の記録装置の構成として、記録ヘッドの吐出回復手段、予備的な補助手段等を付加することは本発明の効果を一層安定できるので、好ましいものである。これらを具体的に挙げれば、記録ヘッドに対してのキャッピング手段、クリーニング手段、加圧或は吸引手段、電気熱変換体或はこれとは別の加熱素子或はこれらの組み合わせを用いて加熱を行う予備加熱手段、記録とは別の吐出を行なう予備吐出手段を挙げることができる。
【００６１】
また、搭載される記録ヘッドの種類ないし個数についても、例えば単色のインクに対応して１個のみが設けられたものの他、記録色や濃度を異にする複数のインクに対応して複数個数設けられるものであってもよい。すなわち、例えば記録装置の記録モードとしては黒色等の主流色のみの記録モードだけではなく、記録ヘッドを一体的に構成するか複数個の組み合わせによるかいずれでもよいが、異なる色の複色カラー、または混色によるフルカラーの各記録モードの少なくとも一つを備えた装置にも本発明は極めて有効である。
【００６２】
さらに加えて、以上説明した本発明実施例においては、インクを液体として説明しているが、室温やそれ以下で固化するインクであって、室温で軟化もしくは液化するものを用いてもよく、あるいはインクジェット方式ではインク自体を３０℃以上７０℃以下の範囲内で温度調整を行ってインクの粘性を安定吐出範囲にあるように温度制御するものが一般的であるから、使用記録信号付与時にインクが液状をなすものを用いてもよい。加えて、熱エネルギによる昇温を、インクの固形状態から液体状態への状態変化のエネルギとして使用せしめることで積極的に防止するため、またはインクの蒸発を防止するため、放置状態で固化し加熱によって液化するインクを用いてもよい。いずれにしても熱エネルギの記録信号に応じた付与によってインクが液化し、液状インクが吐出されるものや、記録媒体に到達する時点ではすでに固化し始めるもの等のような、熱エネルギの付与によって初めて液化する性質のインクを使用する場合も本発明は適用可能である。このような場合のインクは、特開昭５４−５６８４７号公報あるいは特開昭６０−７１２６０号公報に記載されるような、多孔質シート凹部または貫通孔に液状又は固形物として保持された状態で、電気熱変換体に対して対向するような形態としてもよい。本発明においては、上述した各インクに対して最も有効なものは、上述した膜沸騰方式を実行するものである。
【００６３】
さらに加えて、本発明インクジェット記録装置の形態としては、コンピュータ等の情報処理機器の画像出力端末として用いられるものの他、リーダ等と組合せた複写装置、さらには送受信機能を有するファクシミリ装置の形態を採るもの等であってもよい。
【００６４】
【発明の効果】
以上の説明から明らかなように、本発明によれば、まず第１チェックパターンを所定の解像度で記録し、このパターンに基づいて記録ヘッドの記録タイミングを設定し、該記録タイミングが設定された条件で、第２チェックパターンを前記所定の解像度より高い解像度で記録するので、第２チェックパターンを、記録ヘッドの記録タイミング設定がなされた状態、すなわち、レジ調整にかかる記録タイミングの調整がなされた状態で記録することができ、第２チェックパターンに基づく、その後のより高解像度のレジ調整が容易となる。
【００６５】
また、同一の記録媒体に複数のチェックパターンを記録できるので、チェックパターン記録用の記録媒体を節約することができる。
【００６６】
この結果、レジ調整等を容易かつ短時間に行うことができ、また、装置のランニングコストを低減することが可能となる。
【図面の簡単な説明】
【図１】本発明の一実施形態に係るインクジェット記録装置の主要な構成を示す模式的斜視図である。
【図２】上記装置で用いられる記録ヘッドの吐出口配列を示す模式図である。
【図３】本発明の第１の実施形態に係るレジ調整用の第１チェックパターンの記録を説明するための図である。
【図４】さらに第１チェックパターンの記録の後に記録される第２チェックパターンの記録を説明するための図である。
【図５】上記第１および第２チェックパターンを１枚の記録媒体に記録した状態を示す図である。
【図６】本発明の第２の実施形態に係るチェックパターンを示す図である。
【図７】第１の実施形態における第７および第２チェックパターンの記録に関する処理手順を示すフローチャートである。
【符号の説明】
１１ａ，１１ｂ  ヘッドカートリッジ
１２ａ，１２ｂ  インクタンク
１９ａ，１９ｂ  記録ヘッド部
１９０，１９１，１９２，１９３，１９４  吐出口列
【図１】
0003560305.tif 000002
【図２】
0003560305.tif 000003
【図３】
0003560305.tif 000004
【図４】
0003560305.tif 000005
【図５】
0003560305.tif 000006
【図６】
0003560305.tif 000007
【図７】
0003560305.tif 000008